(57)【特許請求の範囲】
【請求項１】
定電流電源で駆動されるＬＥＤモジュールであって、
少なくとも１個の発光ダイオードと、
ツェナーダイオードと、
電子デバイスと、
前記定電流電源と接続される給電端子を有し、前記ツェナーダイオードと前記電子デバイスとを直列に接続して直列回路を形成し、当該直列回路と前記発光ダイオードとを並列に接続するプリント配線板と、
を備え、
前記定電流電源からの駆動中において、
前記ツェナーダイオードは、
前記発光ダイオードのジャンクション温度が少なくとも許容範囲内である場合に前記定電流電源から前記給電端子に印加される電圧の下では、前記電子デバイスが有効動作するに足りるだけの電流を流し、
前記ジャンクション温度が許容範囲を超える高温である場合に前記定電流電源から前記給電端子に印加される電圧の下では、前記電子デバイスが有効動作するに足りるだけの電流を流さないことを特徴とするＬＥＤモジュール。
【請求項２】
前記電子デバイスは、前記発光ダイオードよりも小さな電流で発光する発光ダイオードであって、前記ツェナーダイオードに対し極性を逆向きにして直列に接続された発光ダイオードであることを特徴とする請求項１に記載のＬＥＤモジュール。
【発明の詳細な説明】
【技術分野】
【０００１】
本発明は、ＬＥＤモジュールに関し、特に、放熱部材に取り付けられて使用されるＬＥＤモジュールに関する。
【背景技術】
【０００２】
近年、白色ＬＥＤの高輝度化が進むにつれ、ＬＥＤは表示用から照明用へとその用途を拡大しつつある。照明分野においては、基板にＬＥＤチップを実装してなる多用途対応型のモジュール形態で提供されるものが出現しており、このようなＬＥＤモジュールは、購入したユーザーにおいて、放熱部材に取り付けられた上で各自の目的に応じて使用される。
【０００３】
ここで、適切な放熱部材の選択と、放熱部材へのＬＥＤモジュールの確実な取り付けが重要になる。ＬＥＤチップの温度（ジャンクション温度）が許容範囲を超える高温で点灯され続けると、全光束が低下したり短寿命になったりといった悪影響がでてくるので、十分な放熱性を確保する必要があるからである。
ところで、ＬＥＤモジュールのユーザーも照明装置メーカから個人まで多岐に渡り、例えば、電照栽培用に農家が購入し、鉄柱等に取り付け、これを放熱部材として使用するといったようなケースがある。鉄柱等が放熱部材として適切でなかったり、あるいは、放熱部材としては適切であるが、ＬＥＤモジュールの取り付けが不完全であるため十分な放熱効果が得られない場合、前述したように、十分な光束が得られなかったり、点灯開始から比較的短時間で点灯しなくなるといった事態が生じる。特に、最近の高輝度化に伴って、１[Ａ]近くの電流を流すものにあっては、上記のような放熱不良があると、十数分でＬＥＤチップが破壊されてしまう事態が生じる場合がある。
【０００４】
なお、メーカにおいて、適切な設計がなされたヒートシンクが使用される場合であっても、取り付け段階でＬＥＤモジュールとヒートシンクとの間に異物が紛れ込み、これが原因で、ＬＥＤモジュールからヒートシンクへの熱伝導性が損なわれ、放熱不良が生じる場合がある。
そこで、上記のような状況にあっては、十分な放熱性が確保されていないことを、使用初期（点灯初期）の段階でユーザーに気づかせる必要がある。
【０００５】
これを実現する技術が特許文献１に開示されている。特許文献１に記載されているＬＥＤモジュールは、基板と、当該基板に実装されたＬＥＤチップと、当該ＬＥＤチップに隣接して同じ基板に実装されたサーミスタ等の温度検出素子とを有している。また、ＬＥＤチップとサーミスタには、別系統の電源回路から給電されるように基板上の配線パターンが形成されている。そして、２系統で電力を供給できる電源回路を用い、ＬＥＤチップとサーミスタとにそれぞれ個別に電力を供給して、ＬＥＤチップを発光させると共に、電源回路に併設された制御回路で、周囲温度に対応して変化するサーミスタの抵抗値を検出することにより、ＬＥＤチップの周囲温度を測定する。そして、測定温度が予め設定した温度よりも高くなった場合、すなわち、異常温度を検出した場合に、当該異常を外部に知らせる警報部が前記制御部に設けられている。
【０００６】
特許文献１に記載の技術によれば、サーミスタによりＬＥＤチップの周囲温度が測定され、異常温度を検出した場合に当該異常が知らされることとなるので、ユーザーは、ＬＥＤモジュールの使用を中止し、異常の原因を調査するなどして、例えば、放熱部材の適切なものへの変更や、放熱部材への取り付け直し等の対策を講じることができることとなる。
【特許文献１】特開２００７−２７５８３号公報
【発明の開示】
【発明が解決しようとする課題】
【０００７】
しかしながら、特許文献１に記載の技術では、ＬＥＤチップに供給するのとは別に電力を供給できる専用の電源回路が必要となる上、サーミスタの抵抗値を検出して温度を測定する制御回路が必要となる。
本発明は、上記した課題に鑑み、専用の電源回路や温度測定用の制御回路を必要とせず、簡易な構成ながら、発光ダイオードの温度（ジャンクション温度）が許容範囲を超えた状態で点灯されていることを、ユーザーに知らしめることができるＬＥＤモジュールを提供することを目的とする。
【課題を解決するための手段】
【０００８】
上記の目的を達成するため、本発明に係るＬＥＤモジュールは、定電流電源で駆動されるＬＥＤモジュールであって、少なくとも１個の発光ダイオードと、ツェナーダイオードと、電子デバイスと、前記定電流電源と接続される給電端子を有し、前記ツェナーダイオードと前記電子デバイスとを直列に接続して直列回路を形成し、当該直列回路と前記発光ダイオードとを並列に接続するプリント配線板と、を備え、前記定電流電源からの駆動中において、前記ツェナーダイオードは、前記発光ダイオードのジャンクション温度が少なくとも許容範囲内である場合に前記定電流電源から前記給電端子に印加される電圧の下では、前記電子デバイスが有効動作するに足りるだけの電流を流し、前記ジャンクション温度が許容範囲を超える高温である場合に前記定電流電源から前記給電端子に印加される電圧の下では、前記電子デバイスが有効動作するに足りるだけの電流を流さないことを特徴とする。
【０００９】
また、前記電子デバイスは、前記発光ダイオードよりも小さな電流で発光する発光ダイオードであって、前記ツェナーダイオードに対し極性を逆向きにして直列に接続された発光ダイオードであることを特徴とする。
【発明の効果】
【００１０】
上記構成からなるＬＥＤモジュールによれば、発光ダイオードのジャンクション温度が少なくとも許容範囲内にある場合は、電子デバイスが有効動作し、前記ジャンクション温度が許容範囲を超える高温になると前記電子デバイスが有効動作しなくなるので、ユーザーは、電子デバイスが有効動作しているか否かを観察することにより、発光ダイオードのジャンクション温度が許容範囲にあるか否かを知ることができる。
【００１１】
また、上述したことが、従来のＬＥＤモジュールに対し、ツェナーダイオードとこれに直列接続される電子デバイスとを追加するだけの簡易な構成により実現できる。
さらに、前記ツェナーダイオードと前記電子デバイスとが直列に接続されてなる直列回路が、前記発光ダイオードと並列に接続されているので、ＬＥＤモジュールに対しては、１系統の電源回路からの給電で足りることとなる。
【発明を実施するための最良の形態】
【００１２】
以下、本発明に係るＬＥＤモジュールの実施の形態について、図面を参照しながら説明する。
図１は、実施の形態に係るＬＥＤモジュール１０の概略構成を示す斜視図である。
ＬＥＤモジュール１０は、セラミック製の絶縁基板１２に配線パターン１４が形成されてなる、実装基板としてのプリント配線板１６を有する。
【００１３】
プリント配線板１６には、ベアチップ形態の発光ダイオード（以下、「ＬＥＤチップ」と言う。）が複数個（本例では１２個）、フリップチップ実装されている。１２個のＬＥＤチップＤ１〜Ｄ１２は、配線パターン１４によって、後述するように、３個ずつが直列に接続されて４つのＬＥＤ列を成し４つのＬＥＤ列が並列に接続される、いわゆる３直４並列に接続されている。ＬＥＤチップＤ１〜Ｄ１２には、例えば、青色発光するものを用いることができる。
【００１４】
実装されたＬＥＤチップＤ１〜Ｄ１２を覆うように蛍光体膜１８が形成されている。蛍光体膜１８は、例えば、シリコーンなどの透光性樹脂に、(Ｂａ,Ｓｒ)2ＳｉＯ4:Ｅｕ2+やＹ3(Ａｌ,Ｇａ)5Ｏ12:Ｃｅ3+の黄緑色蛍光体粉末とＳｒ2Ｓｉ5Ｎ8:Ｅｕ2+や（Ｃａ,Ｓｒ）Ｓ:Ｅｕ2+などの赤色蛍光体粉末などを分散させたものからなる。
また、配線パターン１４は、上記３直４並列に接続されたＬＥＤチップＤ１〜Ｄ１２に電力を供給する外部電源が接続される給電端子として、アノード端子２０とカソード端子２２を有している。
【００１５】
外部電源（図１では不図示）からの電力がアノード端子２０、カソード端子２２を介して供給されると、ＬＥＤチップＤ１〜Ｄ１２は青色発光する。ＬＥＤチップＤ１〜Ｄ１２から放出される青色光は、蛍光体膜１８で一部が吸収され黄緑色光や赤色光に変換される。青色光と黄緑色光と赤色光が合成されて白色光となり、蛍光体膜１８から放出されることとなる。
【００１６】
なお、プリント配線板１６には、ＬＥＤチップＤ１〜Ｄ１２の他に、ツェナーダイオード２４とＬＥＤチップ２６とが実装されているのであるが、この２個の素子とＬＥＤチップＤ１〜Ｄ１２との関係については後述する。
また、絶縁基板１２は、その４隅に、ＬＥＤモジュール１０を放熱部材（不図示）に取り付けるための取付孔２８，３０，３２，３４を有している。ＬＥＤモジュール１０は、取付孔２８，３０，３２，３４を介し、ねじ等の締結部材によって、放熱部材に取り付けられる。そして、ＬＥＤモジュール１０の点灯中は、ＬＥＤチップＤ１〜Ｄ１２で発生する熱の一部が、絶縁基板１２の背面から放熱部材へと廃熱されることとなる。
【００１７】
図２は、ＬＥＤモジュール１０の回路図である。
図２に示すように、ＬＥＤチップＤ１〜Ｄ３、ＬＥＤチップＤ４〜Ｄ６、ＬＥＤチップＤ７〜Ｄ９、ＬＥＤチップＤ１０〜Ｄ１２がそれぞれ直列に接続されている。ここで、直列接続されたＬＥＤチップＤ１〜Ｄ３をＬＥＤ列Ａ１、同ＬＥＤチップＤ４〜Ｄ６をＬＥＤ列Ａ２、同ＬＥＤチップＤ７〜Ｄ９をＬＥＤ列Ａ３、同ＬＥＤチップＤ１０〜Ｄ１２をＬＥＤ列Ａ４と称することとする。そして、４つのＬＥＤチップ列Ａ１，Ａ２，Ａ３，Ａ４は、互いに並列に接続されている。また、並列に接続されたＬＥＤチップ列Ａ１，Ａ２，Ａ３，Ａ４を、まとめて「ＬＥＤチップ群Ｇ」と称することとする。
【００１８】
ツェナーダイオード２４は、図２に示すように、ＬＥＤチップ列Ａ１，Ａ２，Ａ３，Ａ４の各々に対し、極性を逆向きにして並列に接続されている（逆並列に接続されている）。また、ＬＥＤチップ２６は、ツェナーダイオード２４に対し極性を逆向きにして直列に接続される（逆直列に接続される）と共に、ＬＥＤチップ列Ａ１，Ａ２，Ａ３，Ａ４の各々に対して並列に接続されている。すなわち、前記ツェナーダイオード２４と前記ＬＥＤチップ２６とが直列に接続されて直列回路が形成され、当該直列回路とＬＥＤチップ群Ｇ（ＬＥＤチップＤ１〜Ｄ１２）とが並列に接続されている。なお、ＬＥＤチップ２６も、ＬＥチップＤ１〜Ｄ１２と同種の青色発光するものを使用することができる。
【００１９】
ＬＥＤチップＤ１〜Ｄ１２、ツェナーダイオード２４、およびＬＥＤチップ２６が上記のように接続されてなるＬＥＤモジュール１０は、定電流電源１００によって駆動される。
ここで、一例として、ＬＥＤモジュール１０の定格電流は８００[ｍＡ]、定格電圧は１１.６[Ｖ]とする。
【００２０】
図３に示すのは、横軸に電圧[Ｖ]、縦軸に電流[ｍＡ]を採った直交座標系で、ＬＥＤチップ群Ｇとツェナーダイオード２４の電圧−電流特性を表したグラフである。図３において、細い実線のグラフＢはツェナーダイオード２４の電圧−電流特性を、太い実線のグラフＣ１はＬＥＤチップ群Ｇの電圧−電流特性をそれぞれ示している。図３の第１象限では、ＬＥＤチップ群Ｇを構成する個々のＬＥＤチップＤ１〜Ｄ１２には、順方向の電圧が、ツェナーダイオード２４には、逆方向の電圧が印加される状態を示すものとする。
【００２１】
ＬＥＤモジュール１０が適切な放熱部材に正常に取り付けられている等、放熱が良好になされる環境の下で、定電流電源（８００[ｍＡ]）によって駆動されて、点灯している場合には、ジャンクション温度が９０[℃]であって、ＬＥＤモジュール１０の給電端子２０，２２（図２）には、約１１.６[Ｖ]の電圧が印加されることとなる。このとき、ツェナーダイオード２４には、約５[ｍＡ]といった微少な電流が流れることとなり、ツェナーダイオード２４と逆直列に接続されているＬＥＤチップ２６は、視認できる程度に発光する。なお、ツェナーダイオード２４の降伏電圧（ツェナー電圧）は、１１.６[Ｖ]を超える値である。
【００２２】
一方、何らかの原因による放熱不良の環境の下で、点灯されると、ＬＥＤチップＤ１〜Ｄ１２のジャンクション温度が定格温度を超えて、過度に上昇することとなる。ジャンクション温度が上昇すると、ＬＥＤチップＤ１〜Ｄ１２の抵抗値は低下し、その電圧−電流特性は、一点鎖線でしめすグラフＣ２のようになる。例えば、ジャンクション温度が１４０[℃]の場合、８００[ｍＡ]で定電流駆動されている場合に、給電端子２０，２２（図２）に印加される電圧は、１１.０[Ｖ]となる。電圧１１.０[Ｖ]で、ツェナーダイオード２４に流れる電流は、数μＡ程度であり、この程度の電流では、ＬＥＤチップ２６は、発光しない（視認できる程度に発光しない）。
【００２３】
したがって、ＬＥＤモジュール１０の点灯開始後、ＬＥＤチップ２６が点灯から消灯に転じた場合、ＬＥＤチップＤ１〜Ｄ１２のジャンクション温度が定格温度を超えていると、すなわち許容範囲を超えて高温になっていると判定することが可能となる。
このことについて、図４を参照しながら、さらに説明する。
図４は、横軸に連続点灯時間[分]を、縦軸にジャンクション温度[℃]をとり、ＬＥＤモジュール１０の放熱が良好になされている場合（グラフＥ）と、放熱不良の場合（グラフＦ）の場合の、点灯時間の経過に伴うジャンクション温度の変化の様子を表したグラフである。
【００２４】
なお、図４において、破線Ｔ１は定格ジャンクション温度ラインを示し、破線Ｔ２は判定温度ラインを示し、破線Ｔ３は破壊温度ラインをそれぞれ示す。
「破壊温度」とは、ＬＥＤチップＤ１〜Ｄ１２がその機能を失う温度である。
「判定温度」とは、前述したように、ＬＥＤチップＤ１〜Ｄ１２の抵抗値が低下し、給電端子２０，２２に印加される電圧が低下して、ツェナーダイオード２４に流れる電流が減少し、ＬＥＤチップ２６が点灯から消灯に転じる際のおおよそのジャンクション温度を言う。定格温度Ｔ１、判定温度Ｔ２、破壊温度Ｔ３の大小関係は、Ｔ１＜Ｔ２＜Ｔ３である。ここで、各温度の具体的な一例を示すと、Ｔ１＝９０[℃]、Ｔ２＝１４０[℃]、Ｔ３＝２００[℃]である。
【００２５】
グラフＥが示すように、ＬＥＤモジュール１０（ＬＥＤチップＤ１〜Ｄ１２）の放熱が良好になされている場合、点灯開始直後にジャンクション温度は急上昇するものの、やがて、定格温度Ｔ１近傍に収束し、定格温度Ｔ１を超えることはない。
一方、放熱不良の場合、ジャンクション温度は、定格温度Ｔ１を超えて上昇し続け、やがて判定温度Ｔ２に到達する。判定温度Ｔ２またはこの近傍の温度に到達すると、ＬＥＤチップ２６は点灯から消灯に転じる。これにより、ユーザーは、ＬＥＤモジュール１０（ＬＥＤチップＤ１〜Ｄ１２）が定格温度Ｔ１を超えた過熱状態であることを知り得る。そこで、ユーザーは、ＬＥＤモジュール１０を消灯させ、ＬＥＤモジュール１０の放熱部材への取り付けが確実になされているか否かの確認、または、放熱部材として適切なものが選択されているか否かの再検討をした上で、放熱部材への取り付けなおしや、別仕様の放熱部材への取替えといった適切な処理を実行することができる。
【００２６】
因みに、判定温度Ｔ２を超えて、そのまま点灯し続けると、一点鎖線で示すようにやがて破壊温度Ｔ３に到達し、ＬＥＤチップＤ１〜Ｄ１２は破壊される。本例において、例えば、放熱部材が放熱の機能を全く果たしていないとした場合に、点灯開始から破壊温度Ｔ３に至るまでの所要時間は、２０[分]程度である。
判定温度Ｔ２は、定格温度Ｔ１と破壊温度Ｔ３の間の任意の温度に設定することができる。しかし、定格温度Ｔ１に近すぎると、外乱等により僅かに定格温度Ｔ１を超えた場合でも、ＬＥＤモジュール１０が過熱状態にあると判定されるため不都合である。一方、破壊温度Ｔ３に近すぎると、ＬＥＤモジュール１０への給電を停止するのが少しでも遅れると、ＬＥＤチップＤ１〜Ｄ１２が破壊されてしまい、やはり不都合である。
【００２７】
そこで、判定温度Ｔ２は、定格温度Ｔ１よりも５[℃]〜９０[℃]の範囲で高い温度に設定することが好ましい。ここで、一般的に、ＬＥＤチップは、定格電流で定電流駆動されている場合、ジャンクション温度と駆動電圧の低下量とは比例の関係にあることが知られている。本例の場合、ジャンクション温度が１０[℃]上昇すると、駆動電圧は定格電圧に対して１[％]程度低下する。したがって、ジャンクション温度が５[℃]上昇すると、駆動電圧は０.５[％]降下し、ジャンクション温度が９０[℃]上昇すると、駆動電圧は９[％]降下する。
【００２８】
そこで、ツェナーダイオード２４は、設定される判定温度Ｔ２との関係で、以下のように選定される。
例えば、判定温度Ｔ２を定格温度Ｔ１よりも５[℃]高い温度に設定した場合、ＬＥＤモジュールの定格電圧よりも０.５[％]駆動電圧が降下すると、判定用のＬＥＤチップ２６が発光するだけの電流を流さなくなるようなツェナーダイオードが選定される。
【００２９】
また、例えば、判定温度Ｔ２を定格温度Ｔ１よりも９０[℃]高い温度に設定した場合、ＬＥＤモジュールの定格電圧よりも９[％]駆動電圧が降下すると、判定用のＬＥＤチップ２６が発光するだけの電流を流さなくなるようなツェナーダイオードが選定される。
すなわち、判定温度Ｔ２に応じ、ＬＥＤモジュールの定格電圧に対し０.５[％]〜９[％]の範囲で駆動電圧が降下した時に、判定用のＬＥＤチップ２６が発光するだけの電流を流さなくなるようなツェナーダイオードが選定されることとなる。
【００３０】
なお、いずれにしても、ＬＥＤモジュールの定格電圧が印加されているときには、ツェナーダイオード２４は、判定用のＬＥＤチップ２６が発光するに足りるだけの電流を流さすものであることは言うまでもない。
以上説明したように、本実施の形態に係るＬＥＤモジュール１０によれば、点灯後、ＬＥＤチップＤ１〜Ｄ１２のジャンクション温度が、定格温度Ｔ１を超え破壊温度Ｔ３に至るまでの判定温度Ｔ２に達すると、ＬＥＤチップ２６が点灯状態から消灯状態へと転じるので、ユーザーは、ＬＥＤチップＤ１〜Ｄ１２が放熱不良の状態にあることを知ることができる。また、このことは、ツェナーダイオード２４に逆直列にＬＥＤチップ２６を接続してなる直列回路を、照明用のＬＥＤチップ群Ｇ（ＬＥＤチップＤ１〜Ｄ１２）に対し、ツェナーダイオード２４が逆並列になるように接続するといった簡易な構成で実現できる。しかも、１系統の電源回路からＬＥＤモジュール１０へ給電するだけで足りる。
【００３１】
また、放熱が良好になされている場合に、給電端子２０，２２（図２）に印加される電圧（本例では、約１１.６[Ｖ]）が、ツェナーダイオード２４の降伏電圧（ツェナー電圧）よりも低いため(そのようなツェナーダイオードが選択されているため)、判定用の電子デバイス（上記例では、ＬＥＤチップ２６）として、低抵抗のものを用いることが可能となる。
【００３２】
特許文献１に開示されている技術では、ＬＥＤチップの（ジャンクション）温度を、蛍光体を間に挟んだ状態で間接的に測定していることとなる。蛍光体は波長変換時に発熱することが知られており、測定結果はジャンクション温度以外の要因も反映されたものとなってしまう。これに対し、本実施の形態では、ジャンクション温度と直接的に相関関係のある（印加）電圧に依って、当該温度の判定を行っているので、当該判定は、ジャンクション温度以外の要因を含まない状態でなされることとなる。
【００３３】
以上、本発明を実施の形態に基づいて説明してきたが、本発明は上記した形態に限らないことは勿論であり、例えば、以下のような形態とすることもできる。
（１）ＬＥＤモジュール１０に、図２において一点鎖線で示すように、さらに、静電気等に起因する逆方向電圧から、ＬＥＤチップ群Ｇ（ＬＥＤチップＤ１〜Ｄ１２）を保護するためのツェナーダイオード３６を設けることとしても構わない。静電気が生じ、ＬＥＤチップＤ１〜Ｄ１２に逆方向に電圧がかかった際に、ツェナーダイオード３６が当該逆電圧による電流を逃がして、ＬＥＤチップＤ１〜Ｄ１２が破壊されるのを防止できる。
【００３４】
なお、ＬＥＤチップ群Ｇ（ＬＥＤチップＤ１〜Ｄ１２）を保護するといった観点からは、ツェナーダイオード２４もその役割を果たしている。したがって、ＬＥＤチップＤ１〜Ｄ１２の保護のみを目的とするのであれば、必ずしも、ツェナーダイオード３６を設ける必要はない。
（２）上記の例では、照明用の発光ダイオードとして１２個のＬＥＤチップＤ１〜Ｄ１２を用いたが、ＬＥＤモジュールを構成するＬＥＤチップの個数は、これに限定されるものではなく、任意の個数を採り得る。
【００３５】
複数個のＬＥＤチップの接続形態も、上記の３直４並列に限らず、直列接続されるＬＥＤチップ（ＬＥＤ列を構成するＬＥＤチップ）の個数や、並列接続されるＬＥＤ列の個数も任意である。
また、一列のＬＥＤ列のみとしても構わない。あるいは、Ｎ個（Ｎは、２以上の整数）のＬＥＤチップを全て並列に接続することとしてもよい。
【００３６】
また、ＬＥＤモジュール１０に用いられるＬＥＤチップの個数は、複数個ではなく、１個としても構わない。
（３）上記実施の形態では、ＬＥＤチップ群Ｇ（ＬＥＤチップＤ１〜Ｄ１２）のジャンクション温度が判定温度Ｔ２を超えているか否かを判定するための電子デバイスとして、ＬＥＤチップ２６を用いたが、判定用の電子デバイスはこれに限るものではない。
【００３７】
例えば、小型スピーカ、振動用小型モータ、発信素子等を用いることもできる。
要は、（i）ＬＥＤチップＤ１〜Ｄ１２のジャンクション温度が許容範囲（定格温度）内である場合に定電流電源１００からアノード端子２０とカソード端子２２間に印加される電圧の下において、ツェナーダイオード２４が流す電流で有効動作し、（ii）前記ジャンクション温度が許容範囲（定格温度）を超える高温である場合に定電流電源１００からアノード端子２０とカソード端子２２間に印加される電圧の下において、ツェナーダイオード２４が流す電流では有効動作しないような電子デバイスであれば良いのである。
【００３８】
ここで、「有効」動作とは、ユーザー（人）が、感覚で当該電子デバイスが動作していることが知覚できる動作を言う。判定用ＬＥＤチップ２６であれば、ユーザーが視覚によって認められる程度に発光することを言う。
（４）上記実施の形態では、図１に示すように、判定用のＬＥＤチップ２６を照明用のＬＥＤチップ（Ｄ７やＤ１０）の近傍に設けたが、両者を一層明確に区別できるよう、両者をもう少し離間させることとしても構わない。あるいは、両者の間に衝立を立てても構わない。
（５）また、判定用のＬＥＤチップ２６は、照明用ＬＥＤチップＤ１〜Ｄ１２と異なる色で発光するものを用いても構わない。
【００３９】
あるいは、判定用ＬＥＤチップ２６は、照明用ＬＥＤチップＤ１〜Ｄ１２と同じ色で発光するものを用いるものの、判定用ＬＥＤチップ２６は蛍光体膜１８で被覆せず、蛍光体を含まない透光性樹脂膜で覆うこととし、結果的に両者が異なる色で発光しているように視認できるようにしても構わない。
いずれにしても、判定用のＬＥＤチップは、照明用ＬＥＤチップよりも小さな電流で駆動されるため（本例では、照明用ＬＥＤチップが約２００[ｍＡ]に対し、判定用ＬＥＤチップは約５[ｍＡ]）、照明光とは異なる色の光が混在しとしても、その発光量は僅かなので、被照射面（部材）に及ぼす影響は極めて少ないため、問題はない。
【００４０】
ここで、判定用ＬＥＤチップの駆動電流値は、照明用ＬＥＤチップＤ１〜Ｄ１２への影響を考慮した場合、できるだけ小さいことが好ましい。具体的には、ＬＥＤモジュールの定格電流値に対し、０.１[％]〜５[％]の範囲が好ましい。上記した例では、定格電流値が８００[ｍＡ]なので、判定用ＬＥＤチップは、その駆動電流値が、０.８[ｍＡ]〜４０[ｍＡ]の範囲のものから選定されることとなる。
【００４１】
なお、上記好ましい駆動電流値の範囲は、判定用の電子デバイスとして、上記した他のものを選択した場合にも適用されるものである。
【産業上の利用可能性】
【００４２】
本発明に係るＬＥＤモジュールは、例えば、ユーザー側において、ユーザーが準備した放熱部材に取り付け、各自の目的に応じて使用される多用途対応型の照明光源として好適に利用可能である。
【図面の簡単な説明】
【００４３】
【図１】実施の形態に係るＬＥＤモジュールの概略構成を示す斜視図である。
【図２】上記ＬＥＤモジュールの回路図である。
【図３】照明用のＬＥＤチップ群と、これと逆並列に接続されるツェナーダイオードの電圧−電流特性を表したグラフである。
【図４】ＬＥＤモジュールを連続点灯させた際の、放熱が良好な場合と放熱不良の場合のジャンクション温度の時間経過における推移を表したグラフである。
【符号の説明】
【００４４】
１０    ＬＥＤモジュール
１６    プリント配線板
２０    アノード端子
２２    カソード端子
２４    ツェナーダイオード
２６    ＬＥＤチップ
Ｄ１〜Ｄ１２    ＬＥＤチップ
【図１】
0004796027.tif 000002
【図２】
0004796027.tif 000003
【図３】
0004796027.tif 000004
【図４】
0004796027.tif 000005